(57)【要約】  【課題】  押輪の挿入忘れを防止する。【解決手段】  フレキシブル管用継手１０は継手本体２０と押輪２４とを備える。押輪２４は、筒部７６ａと、露出部７６ｂとを有する。筒部７６ａは、フレキシブル管３００が通り抜ける。筒部７６ａが、挿入口３０から継手本体２０の中に押し込まれる。露出部７６ｂは、筒部７６ａの後方側に設けられ、筒部７６ａが継手本体２０の中に押し込まれた後も継手本体２０の外に露出する。押輪２４の筒部７６ａは、嵌入予定部７７を有する。嵌入予定部７７は、継手本体２０の中に途中まで挿入されて継手本体２０の中に未挿入の状態にしておかれる。併せて、嵌入予定部７７の外周面に少なくとも継手本体２０の外周面および露出部７６ｂの外周面と異なる色が付されている。【選択図】      図１
2010175005.tif 000002
【特許請求の範囲】
【請求項１】
挿入口を有する継手本体と、
前記挿入口を介して前記継手本体に挿入される押輪とを備え、
前記押輪の中を通り抜けるフレキシブル管が前記挿入口から前記継手本体内に挿入され、
前記フレキシブル管の外周部には、円周方向全周に延びる山部と谷部とが管軸方向へ交互に並設されており、
前記押輪が前記継手本体に挿入されかつ固定されることによって前記フレキシブル管に係合した抜止部材の抜け出しが止められて、この抜止部材に係合した前記フレキシブル管も前記継手本体から抜けるのが止められるフレキシブル管用継手であって、
前記押輪が、
前記フレキシブル管が通り抜け、かつ、前記挿入口から前記継手本体の中に挿入される筒部と、
前記筒部の後方側に設けられ、該筒部が前記継手本体の中に挿入された後も前記継手本体の外に露出する露出部とを有し、
前記筒部は、前記継手本体の中に途中まで挿入して前記継手本体の中に未挿入の状態にしておく嵌入予定部を有し、
前記嵌入予定部の外周面に少なくとも前記継手本体の外周面および前記露出部の外周面と異なる色が付されていることを特徴とする、フレキシブル管用継手。
【請求項２】
前記嵌入予定部にインクジェットにより色が付されていることを特徴とする、請求項１に記載のフレキシブル管用継手。
【請求項３】
前記フレキシブル管用継手に、前記嵌入予定部の外周に嵌め込まれ、かつ、取り外しが可能である、押輪の誤挿入防止カラーをさらに備えることを特徴とする、請求項１または請求項２に記載のフレキシブル管用継手。
【請求項４】
前記誤挿入防止カラーの少なくとも外側部分の色相が、前記嵌入予定部に付される色と同じ色相であることを特徴とする、請求項３に記載のフレキシブル管用継手。
【発明の詳細な説明】
【技術分野】
【０００１】
本発明は、フレキシブル管用継手に関し、特に、押輪の挿入忘れを防止できるフレキシブル管用継手に関する。
【背景技術】
【０００２】
特許文献１は、フレキシブル管用継手を開示する。このフレキシブル管用継手は、継手本体と、リング状の押輪と、パッキンと、リング状のリテーナと、ストップリングとを備える。継手本体には、フレキシブル管を挿入するための管挿入孔が形成されている。継手本体の内壁面は段部状になっている。押輪は、継手本体の先端にその長手方向へ摺動可能に取り付けられる。パッキンは、継手本体の内壁面の段部に設けられる。リテーナは、押輪とパッキンとの間に介在される。リテーナは、押輪の挿入時にパッキンを押圧する。リテーナの一端側は、フレキシブル管の中心方向へ弾性的に拡縮可能である。ストップリングは、押輪に設けられる。ストップリングは、押輪が継手本体側に挿入された時に押輪を固定する。押輪は、これを継手本体へ挿入した時にリテーナと当接してこれを縮径方向へ変形させる。
【０００３】
また、特許文献１に開示されたフレキシブル管用継手には、係合解除カラーが設けられる。係合解除カラーは、継手本体への挿入時に所定量以上挿入されることを防止するためのものである。係合解除カラーは着脱可能である。継手本体の内壁には、拡径段部が形成されている。拡径段部は、係合解除カラーを取り外した状態で押輪を挿入した時にストップリングの拡径を許容して押輪と継手本体との係合を解除する。
【０００４】
このフレキシブル管用継手によれば、押輪を押し込むだけでフレキシブル管を確実にシールして装着することができる。また、このフレキシブル管用継手によれば、押輪と継手本体との係合を解除することができる。
【先行技術文献】
【特許文献】
【０００５】
【特許文献１】特開２００３−１７６８８８号公報
【発明の概要】
【発明が解決しようとする課題】
【０００６】
しかしながら、特許文献１に開示されたフレキシブル管用継手では、押輪の挿入忘れを防止し難いという問題があった。
【０００７】
本発明は、このような問題点を解消するためになされたものであり、その目的とするところは、押輪の挿入忘れを防止できるフレキシブル管用継手を提供することにある。
【課題を解決するための手段】
【０００８】
上記目的を達成するために、本発明のある局面に従うと、フレキシブル管用継手１０は、挿入口３０を有する継手本体２０と、押輪２４とを備える。押輪２４は、挿入口３０を介して継手本体２０に挿入される。フレキシブル管３００が挿入口３０を介して継手本体２０内に挿入される。フレキシブル管３００は、押輪２４の中を通り抜けるものである。フレキシブル管３００の外周部には、円周方向全周に延びる山部と谷部とが管軸方向へ交互に並設されている。押輪２４が継手本体２０に挿入されかつ固定されることによってフレキシブル管３００に係合した抜止部材６０ｄの抜け出しが止められて、この抜止部材６０ｄに係合したフレキシブル管３００も継手本体２０から抜けるのが止められる。
【０００９】
押輪２４は、筒部７６ａと、露出部７６ｂとを有する。筒部７６ａは、フレキシブル管３００が通り抜ける。筒部７６ａが、挿入口３０から継手本体２０の中に押し込まれる。露出部７６ｂは、筒部７６ａの後方側に設けられ、筒部７６ａが継手本体２０の中に押し込まれた後も継手本体２０の外に露出する。
【００１０】
筒部７６ａは、嵌入予定部７７を有する。嵌入予定部７７は、継手本体２０の中に途中まで挿入して継手本体２０の中に未挿入の状態にしておかれる。
【００１１】
併せて、嵌入予定部７７の外周面に少なくとも継手本体２０の外周面および露出部７６ｂの外周面と異なる色が付されている。
【００１２】
上述したように、嵌入予定部７７に、継手本体２０の外周面および露出部７６ｂの外周面とは異なる色が付されている。これにより、嵌入予定部７７が継手本体２０の中に未挿入の状態であることが明らかになる。嵌入予定部７７は押輪２４の一部である。これにより、押輪２４の挿入忘れも明らかになる。その結果、押輪２４の挿入忘れは防止される。
【００１３】
また、上述した嵌入予定部７７にインクジェットにより色が付されていることが好ましい。
【００１４】
インクジェットにより色が付されると、そのようなインクによって嵌入予定部７７の表面に形成される層はごく薄くなる。これにより、その他の方法で塗料を塗る場合に比べ、継手本体２０の挿入口３０の内径を小さくできる。挿入口３０の内径が小さくなるので、継手本体２０全体が大きくなることも防止できる。その結果、挿入忘れを防止でき、かつ、継手本体２０全体が大きくなることを防止できる。
【００１５】
また、上述したフレキシブル管用継手１０に、誤挿入防止カラー１１０をさらに備えてもよい。誤挿入防止カラー１１０は、嵌入予定部７７の外周に嵌め込まれる。誤挿入防止カラー１１０は、取り外しが可能である。
【００１６】
誤挿入防止カラー１１０が備えられていることで、そうでない場合に比べ、挿入忘れを防止できる可能性は高くなる。
【００１７】
また、上述した誤挿入防止カラー１１０の少なくとも外周部分１１０ａの色相が、嵌入予定部７７に付される色と同じ色相であってもよい。
【００１８】
嵌入予定部７７の色相と外周部分１１０ａの色相とが同じなので、誤挿入防止カラー１１０が取り外されているのか否かが把握し難くなる。把握が難しいので、誤挿入防止カラー１１０が取り外されているか否かが頻繁に確認されるようになる。そのような確認が頻繁になされるので、嵌入予定部７７に付される色の色相と外周部分１１０ａの色相とが異なる場合に比べ、挿入忘れを防止できる可能性は高くなる。
【発明の効果】
【００１９】
本発明によれば、押輪２４の挿入忘れを防止できる。
【図面の簡単な説明】
【００２０】
【図１】本発明の実施例にかかるフレキシブル管用継手を示す半欠截断面図である。
【図２】本発明の実施例にかかる押輪の斜視図である。
【図３】本発明の実施例にかかる誤動作防止カラーの斜視図である。
【図４】フレキシブル管が挿入された場合におけるフレキシブル管用継手の動作を示す図である。
【発明を実施するための形態】
【００２１】
以下、図面を参照しつつ、本発明の実施例について説明する。以下の説明では、同一の部品には同一の符号を付してある。それらの名称および機能も同一である。したがって、それらについての詳細な説明は繰返さない。
【００２２】
以下、本発明の実施例を図面に基づき説明する。図１は、本発明の実施例にかかるフレキシブル管用継手１０を、シール材２２押し込み前の状態で示す半欠截断面図である。図２は押輪２４の斜視図である。図３は、誤挿入防止カラー１１０の斜視図である。図４の（ａ）は、フレキシブル管３００が挿入された場合における、本発明の実施例にかかるフレキシブル管用継手１０を、シール材２２押し込み前の状態で示す外観図である。図４の（ｂ）は、シール材２２押し込み途中の状態で示す同フレキシブル管用継手１０の外観図である。図４の（ｃ）は、フレキシブル管３００の差込み完了後の状態で示す同フレキシブル管用継手１０の外観図である。
【００２３】
図１に示すように、本実施例に係るフレキシブル管用継手１０は、継手本体２０と、シール材２２と、押輪２４と、スナップリング２６などとを備える。継手本体２０の一端部には、挿入口３０が形成されている。継手本体２０の他端部の外周には、接続用雄ねじ３２が形成されている。挿入口３０は、金属製のフレキシブル管３００の先端部を受け入れる口である。シール材２２は、この継手本体２０の挿入口３０を経て継手本体２０の中に収容される。押輪２４は、この継手本体２０に、押込み代を残す半挿入状態で挿入される。押輪２４は、シール材２２よりも挿入口３０側に配置される。スナップリング２６は、継手本体２０内に収容される。
【００２４】
なお、上述したフレキシブル管３００とは、管の一種である。フレキシブル管３００の外周部には、円周方向全周に延びる山部と谷部とが管軸方向へ交互に並設される。
【００２５】
図１に示すように、継手本体２０の内部は、挿入口３０を介して継手本体２０の外部に連通している。本発明の説明において、「連通」とは、通路を介して二つの空間を連続状態にすることを意味する。ここでいう「通路」には管状のものだけでなく単なる孔も含まれる。フレキシブル管３００は、押輪２４を通り抜け、かつ、挿入口３０から継手本体２０に挿入される。継手本体２０の内部には、第１収容部４２と、第２収容部４４と、シール材縮径案内部４６と、第３収容部４８とが設けられている。これらの中で最も挿入口３０側にあるのは第１収容部４２である。これらの中で最も内奥側にあるのは第３収容部４８である。第１収容部４２は、挿入口３０の奥に形成され、挿入口３０に連通される。第２収容部４４は、第１収容部４２の奥に形成され、第１収容部４２に連通される。シール材縮径案内部４６は、第２収容部４４の奥に形成される。シール材縮径案内部４６は、第２収容部４４から離れるにつれ窄まる。第３収容部４８は、シール材縮径案内部４６の奥に形成される。第３収容部４８は、フレキシブル管３００の先端部とこの先端部の外周のシール材２２とを収容する。
【００２６】
第１収容部４２には、スナップリング仮止め溝９２と本体凹み部９４とが設けられている。これらはそれぞれ継手本体２０の中心軸に対して直交する方向に延びている。本体凹み部９４が、スナップリング仮止め溝９２に比べ、挿入口３０から遠い位置に設けられている。スナップリング仮止め溝９２内の奥側溝壁には溝テーパ面９２ａが形成されている。溝テーパ面９２ａは、第２収容部４４の方向へ向かって窄まっている。
【００２７】
第３収容部４８の内奥端にはストッパー部５０が設けられている。ストッパー部５０は、第３収容部４８に比べ、継手本体２０の中心軸方向へ突出している。
【００２８】
図１に示すように、本実施例にかかるシール材２２は、胴部６０ａと、管端受け部６０ｂと、シール作用部６０ｃと、抜止部材兼妨害部材６０ｄとを有する。シール材２２の中央には管挿入孔６０ｈが形成されている。管挿入孔６０ｈにはフレキシブル管３００が挿入される。胴部６０ａと、管端受け部６０ｂと、シール作用部６０ｃと、抜止部材兼妨害部材６０ｄの一部とは、一体となっている。胴部６０ａは筒状である。胴部６０ａの内径はフレキシブル管３００の山部の外径とほぼ同一である。管端受け部６０ｂは、この胴部６０ａの前端部に内向きに張り出している。継手本体２０の中にフレキシブル管３００が挿入されると、管端受け部６０ｂがフレキシブル管３００の先端に突き当たる。シール作用部６０ｃは、胴部６０ａの後端部に外向きに張り出している。シール作用部６０ｃがフレキシブル管３００の谷部にかみ合うことにより、継手本体２０の内周面とフレキシブル管３００の外周面とがシールされる。抜止部材兼妨害部材６０ｄは、このシール作用部６０ｃの後方すなわちシール作用部６０ｃよりも挿入口３０に近い位置に複数設けられる。抜止部材兼妨害部材６０ｄは、円周方向に並ぶように配置される。抜止部材兼妨害部材６０ｄ同士は、所定間隔をおいて離れている。継手本体２０の中にシール材２２が収容されたとき、抜止部材兼妨害部材６０ｄによって囲まれる空間の直径は、フレキシブル管３００の山部の外径より大きい。
【００２９】
管端受け部６０ｂには、黄銅製座金などの補強芯金６０ｆが埋込まれている。管端受け部６０ｂの材質は、胴部６０ａおよびシール作用部６０ｃと同一材料で形成されていてもよいし、異なる材料で形成されていてもよい。
【００３０】
シール材２２は、フレキシブル管３００の差込み前（初期状態）において、図１に示すように配置される。すなわち、初期状態において、管端受け部６０ｂおよび胴部６０ａが第３収容部４８内に位置し、シール作用部６０ｃが第２収容部４４内に位置し、かつ抜止部材兼妨害部材６０ｄが第１収容部４２内に位置するように、シール材２２は配置される。この時点における抜止部材兼妨害部材６０ｄの位置が、妨害位置である。妨害位置とは、スナップリング２６が本体凹み部９４に嵌まることを妨げる位置のことである。図１から明らかなように、本実施例において、抜止部材兼妨害部材６０ｄの端部は、本体凹み部９４よりも挿入口３０に近い。ちなみに、抜止部材兼妨害部材６０ｄの端部が本体凹み部９４と同じ位置にあってもよいことは言うまでもない。
【００３１】
図２を参照しつつ、押輪２４について説明する。押輪２４は、筒部７６ａと露出部７６ｂとを有する。筒部７６ａと露出部７６ｂとは一体となっている。筒部７６ａは、継手本体２０の中に挿入される。挿入口３０の中において筒部７６ａは軸方向に移動可能である。筒部７６ａの中を、フレキシブル管３００が挿通可能である。露出部７６ｂは、この筒部７６ａの後端側に設けられている。露出部７６ｂは、後述する嵌入予定部７７を挟んで継手本体２０に対向している。露出部７６ｂの外径は、挿入口３０の孔径より大きい。このため、露出部７６ｂは、筒部７６ａが継手本体２０の中に押し込まれた後も継手本体２０の外に露出することとなる。
【００３２】
筒部７６ａのうち抜止部材兼妨害部材６０ｄに対向する部分には、押付部８２ａが設けられている。押付部８２ａは、妨害位置に抜止部材兼妨害部材６０ｄが配置されているとき継手本体２０の中に筒部７６ａが押し込まれると第１収容部４２の内周に抜止部材兼妨害部材６０ｄを押付ける。
【００３３】
筒部７６ａのうち抜止部材兼妨害部材６０ｄに対向する先端部分の内周には、反力部８２ｂが設けられている。反力部８２ｂは、挿入口３０の奥に向かって広がる先拡がり状である。
【００３４】
筒部７６ａのうち継手本体２０の内周に対向する面には押輪凹み部８４が設けられている。押輪凹み部８４は、筒部７６ａの中心軸に対して直交する方向に形成されている。
【００３５】
筒部７６ａのうち嵌入予定部７７には、色が付されている。嵌入予定部７７とは、押輪２４の筒部７６ａのうち、継手本体２０の中に途中まで挿入して継手本体２０の中に未挿入の状態にしておく部分のことである。本実施例において、嵌入予定部７７は、スナップリング２６の外周がスナップリング仮止め溝９２に嵌め込まれているときには継手本体２０から露出し、かつ、スナップリング２６の外周が本体凹み部９４に嵌め込まれているときには挿入口３０の中に配置される。その結果、露出部７６ｂは、嵌入予定部７７を挟んで継手本体２０に対向していることになる。嵌入予定部７７に付されている色は、そこに隣合う部分の表面の色と異なる。従って、嵌入予定部７７に付されている色は、継手本体２０の外周面の色と異なる。嵌入予定部７７に付されている色は、露出部７６ｂの外周面とも異なる。
【００３６】
図１に示すように、嵌入予定部７７の外周には、誤挿入防止カラー１１０が嵌め込まれている。図３を参照しつつ、誤挿入防止カラー１１０について説明する。誤挿入防止カラー１１０は、欠縁部１１０ｄを有している。誤挿入防止カラー１１０の厚さは、挿入口３０の内周面と押輪２４の筒部７６ａとの間の隙間よりも大きい。本実施例において、誤挿入防止カラー１１０の外周部分１１０ａの色相（色の種類）は、嵌入予定部７７の表面の色相と同一である。
【００３７】
なお、本実施例においては、誤挿入防止カラー１１０の外周面や嵌入予定部７７の外周面に付される色は、図示しないインクジェットプリンタにより付された色である。
【００３８】
次に、上述したフレキシブル管用継手１０にフレキシブル管３００を接続する要領について図４を参照しつつ説明する。
【００３９】
フレキシブル管３００の接続に際しては、先ず、フレキシブル管３００を、押輪２４の入口側から継手本体２０内に差し込む。なお、このフレキシブル管３００の先端部分の被覆層は、山部が８つ露出するよう、予め剥離されている。ただし、山部をいくつ露出させるかは、継手本体２０の大きさなどに応じて定められるものである。山部をいくつ露出させるかは、本実施例のものに限定されない。
【００４０】
挿入口３０内に差し込まれたフレキシブル管３００は、シール材２２の中を、抜止部材兼妨害部材６０ｄ、シール作用部６０ｃ、胴部６０ａの順に通過する。その後、フレキシブル管３００の先端部は、シール材２２の管端受け部６０ｂに突き当たる。その際、シール材２２のシール作用部６０ｃは外向きに張り出す形に形成されているので、フレキシブル管３００の差込み時にそのシール作用部６０ｃが障害になるようなことない。フレキシブル管３００の先端部はシール材２２内にスムーズに挿入できる。
【００４１】
シール材２２の管端受け部６０ｂに突き当たるまでフレキシブル管３００が差込まれると、シール材２２の胴部６０ａは第３収容部４８の奥へ押込まれる。この押込みに伴い、シール材２２のシール作用部６０ｃはシール材縮径案内部４６の窄まり側に移動する。シール作用部６０ｃは、シール材縮径案内部４６に押されて内向きに縮径変形する。シール作用部６０ｃは、シール材縮径案内部４６を通過して第３収容部４８内に引き込まれるや否やフレキシブル管３００の谷部にかみ合う。その際、シール作用部６０ｃは、谷部の斜面に密着する。これと同時にシール材２２の抜止部材兼妨害部材６０ｄが抜止縮径案内部５６の窄まり側に移動する。抜止部材兼妨害部材６０ｄは、抜止縮径案内部５６によって縮径方向に押されながら第２収容部４４に引き込まれる。これにより、フレキシブル管３００の先端部の外周面と継手本体２０の第３収容部４８の内周面との間がシール材２２によって確実に密封シールされる。そこが密封シールされることで、フレキシブル管３００内を流れる流体が継手本体２０から漏れ出るのを防止できる。フレキシブル管３００が少々変形していたとしても、その効果はほとんど低下しない。なお、フレキシブル管３００の先端部とシール材２２の管端受け部６０ｂとの間でもシール機能を期することができる。
【００４２】
フレキシブル管３００の差込み完了後には、誤挿入防止カラー１１０を押輪２４から外す。これにより、図４の（ｂ）に示すように、嵌入予定部７７が露出することとなる。
【００４３】
誤挿入防止カラー１１０が外れると、継手本体２０内に押輪２４を押込む。この押し込みに伴い、スナップリング２６は、押輪凹み部８４内に内周部が嵌め込まれた状態で、溝テーパ面９２ａに沿ってスナップリング仮止め溝９２から滑り出す。溝テーパ面９２ａに沿って移動するため、スナップリング２６は縮径するよう弾性変形する。そして、押輪２４が完全に押し込まれた時点で、スナップリング２６の外周部が本体凹み部９４に嵌まる。スナップリング２６の外周部が本体凹み部９４に嵌まる時、それまで縮径していたスナップリング２６は拡径する。これにより、押輪２４の位置を固定できる。また、図４の（ｃ）に示すように、嵌入予定部７７が継手本体２０内に押込まれるので、嵌入予定部７７は外部から見えなくなる。
【００４４】
また、押輪２４の完全な押込みに伴い、押輪２４の先端部の反力部８２ｂが抜止部材兼妨害部材６０ｄに近接し、かつ、対向する。この後、フレキシブル管３００に対して継手本体２０から引き抜く方向に引抜力がかかると、抜止部材兼妨害部材６０ｄは、挿入口３０の方向に少し移動して、反力部８２ｂに接触する。抜止部材兼妨害部材６０ｄは、反力部８２ｂに接触すると、反力部８２ｂから反力を受ける。抜止部材兼妨害部材６０ｄが反力部８２ｂから反力を受けると、抜止部材兼妨害部材６０ｄの一部は、フレキシブル管３００の谷部に嵌まり込む。抜止部材兼妨害部材６０ｄが反力部８２ｂから反力を受け、かつ、抜止部材兼妨害部材６０ｄの一部がフレキシブル管３００の谷部にその反力を伝達することで、フレキシブル管３００の抜け出しは阻止される。
【００４５】
以上のようにして、本実施例にかかるフレキシブル管用継手１０は、押輪２４の挿入忘れを防止できる。それが可能なのは、誤挿入防止カラー１１０の外周面の色がその周りの色と異なっているためである。これにより押輪２４の挿入忘れを防止できるのは、押輪２４が継手本体２０内にまだ押し込まれていないことを作業者が容易に理解できるためである。
【００４６】
その上、本実施例にかかるフレキシブル管用継手１０において、嵌入予定部７７の外周にもその周りと異なった色が付されている。これにより、誤挿入防止カラー１１０が取り外された後にも、押輪２４が継手本体２０内にまだ押し込まれていないことを作業者が容易に理解できる。それが容易に理解できるので、押輪２４の挿入忘れを防止できる。。
【００４７】
さらに、本実施例にかかるフレキシブル管用継手１０において、誤挿入防止カラー１１０の外周部分の色相と嵌入予定部７７の外周部分の色相とが同じである。これにより、誤挿入防止カラー１１０が取り外されているのか否かが把握し難くなる。把握が難しいので、本実施例にかかるフレキシブル管用継手１０を扱う作業者は、誤挿入防止カラー１１０が取り外されているか否かを頻繁に確認するようになる。その結果、押輪２４の挿入忘れを防止できる。さらに、誤挿入防止カラー１１０が取り外されているか否かが頻繁に確認されるので、誤挿入防止カラー１１０が取り外された後に継手本体２０内へ押輪２４が誤って押し込まれる可能性も低くなる。もちろん、フレキシブル管３００を接続する作業の容易さは損なわれない。
【００４８】
ちなみに、本実施例にかかるフレキシブル管用継手１０において、継手本体２０内にフレキシブル管３００が挿入されないまま押輪２４が継手本体２０内に押し込まれても、押付部８２ａは、継手本体２０の奥へ進めない。抜止部材兼妨害部材６０ｄが押輪２４の先端部分の先方に立ちふさがり、かつ、押付部８２ａが抜止部材兼妨害部材６０ｄの先端部を第１収容部４２の内壁に押し付けるためである。抜止部材兼妨害部材６０ｄの先端部が第１収容部４２の内壁から反力を受けることにより、押付部８２ａひいては押輪２４が、継手本体２０の奥へ進めなくなる。
【００４９】
今回開示された実施例はすべての点で例示である。本発明の範囲は上述した実施例に基づいて制限されるものではなく、本発明の趣旨を逸脱しない範囲で種々の設計変更をしてもよいのはもちろんである。
【００５０】
たとえば、誤挿入防止カラー１１０の外周に付される色と嵌入予定部７７の外周に付される色とのうち少なくとも一方がインクジェットプリンタ以外の装置によって付された色であってもよい。
【００５１】
また、誤挿入防止カラー１１０は、取り付けられていなくともよい。この場合にも、嵌入予定部７７の外周に付された色によって作業者に注意を促すことができるためである。
【００５２】
また、嵌入予定部７７と同じ色相の色は、誤挿入防止カラー１１０の外周部分１１０ａだけでなく、内側部分１１０ｂや側面１１０ｃにも付されていてよい。
【００５３】
また、誤挿入防止カラー１１０の外周部分１１０ａに付される色は、嵌入予定部７７の表面と異なっていてもよい。ただし、誤挿入防止カラー１１０が備えられるのであれば、誤挿入防止カラー１１０の外周部分１１０ａに付される色は、継手本体２０の外周のうち筒部７６ａが継手本体２０の中に押し込まれる前において嵌入予定部７７に隣接する部分の色や、露出部７６ｂのうち嵌入予定部７７に隣接する部分の色と異なっていることが必要である。
【符号の説明】
【００５４】
１０  フレキシブル管用継手
２０  継手本体
２２  シール材
２４  押輪
２６  スナップリング
３０  挿入口
３２  接続用雄ねじ
４２  第１収容部
４４  第２収容部
４６  シール材縮径案内部
４８  第３収容部
５０  ストッパー部
６０ａ      胴部
６０ｂ      管端受け部
６０ｃ      シール作用部
６０ｄ      抜止部材兼妨害部材
６０ｈ      管挿入孔
６０ｆ      補強芯金
７６ａ      筒部
７６ｂ      露出部
７７  嵌入予定部
８２ａ      押付部
８２ｂ      反力部
８４  押輪凹み部
９２  スナップリング仮止め溝
９２ａ      溝テーパ面
９４  本体凹み部
１１０      誤挿入防止カラー
１１０ａ    外周部分
１１０ｂ    内側部分
１１０ｃ    側面
１１０ｄ    欠縁部
３００      フレキシブル管
【図１】
2010175005.tif 000003
【図２】
2010175005.tif 000004
【図３】
2010175005.tif 000005
【図４】
2010175005.tif 000006